(57)【要約】【課題】  ヘアカット技術の入門者や初級者にも容易に上級者と同じヘアスタイルを創り上げることができるようにすること、及び、雑誌やヘアカタログなどに掲載されたヘアスタイルの数値データを元にして誰にでも簡単に目標のヘアスタイルを創り上げることができるようにすることを課題とする。【解決手段】  前記頭部Ｈの側頭部から後頭部にかけて生え際Ｌに沿うように形成される左右一対のサイドフレーム２と、前記サイドフレーム２の前端部相互を伸縮自在に連結するフロントフレーム４と、前記後頭部を左右に二等分するように頭頂部近傍まで延設されるバックフレーム３とからなるフレーム本体１０と、前記フレーム本体１０に装着されるＵ字状の可動フレームとから構成されるヘアカット用補助具により、前記頭部の毛髪を物理的にブロックに分割してヘアカット又はヘアスタイルのデータ化を行うこと。【選択図】  図６
2005312920.tif 000002
【特許請求の範囲】
【請求項１】
頭部を、天辺の中心極点から放射状に伸ばした５本の縦ラインにより面割して前頭部ブロック、左右の側頭部ブロックおよび左右に略２等分した左右の後頭部ブロックに分割すると共に、左右の側頭部ブロックおよび左右の後頭部ブロックを横ラインによりさらに面割して上下に略２等分に分割し、計９箇所の面割ブロックを形成し、
上記各面割ブロックの毛髪の根元付近を固定して複数の毛束とし、
上記各面割ブロックの毛束を所定長さ位置でその面割ブロックにおける上下方向の頭皮ラインに略平行に沿ってカットすることを特徴とするヘアカット方法。
【請求項２】
請求項１に記載のヘアカット方法において、
毛髪の裾の生え際に沿った生え際ゾーンを上記各面割ブロックとは別に区分けし、
上記生え際ゾーンの毛髪の根元付近を固定して複数の毛束とし、
上記生え際ゾーンの毛束を所定長さ位置で所望のヘアスタイルイメージに応じたスタイリングカットラインに沿ってカットすることを特徴とするヘアカット方法。
【請求項３】
ヘアカットのときにカット対象者の頭部に装着させるヘアカット用補助具であって、
前記頭部の側頭部の前方から後頭部にかけて毛髪の生え際に沿うように形成される左右一対のサイドフレームと、前記一対のサイドフレームの前端部相互を伸縮自在に連結するフロントフレームと、前記サイドフレームの後端部から前記後頭部を左右に二等分するように頭頂部近傍まで延設されるバックフレームとからなるフレーム本体と、
前記頭部を左右から挟持する態様で前記フレーム本体に装着されるＵ字状の可動フレームとから構成されており、
前記サイドフレーム及びフロントフレームは、前記フレーム本体を前記頭部に装着させたときに、前記生え際よりも頭頂部側に位置するように設定されており、
前記可動フレームは、上下方向の高さ位置及び前後方向の傾斜角度を自由に調節し得るように前記フレーム本体に装着されることを特徴とするヘアカット用補助具。
【請求項４】
請求項３に記載のヘアカット用補助具において、
前記サイドフレームは、前記側頭部の前方から耳部までの生え際に沿う前方部と、前記耳部の生え際の上昇に合わせて山型に形成される中間部と、前記耳部から後頭部までの生え際に沿う後方部とからなり、
前記前方部には、前端部から下方に前記可動フレームを支持するための支持部が延設されており、
前記中間部は、前記耳部の生え際の形状よりも大きく前記頭頂部側に突出する山型に形成されていることを特徴とするヘアカット用補助具。
【請求項５】
請求項３又は４に記載のヘアカット用補助具において、
前記バックフレームには、前記サイドフレームから首部に沿って形成される延長フレームが伸縮自在に取付けられており、
前記延長フレームには、前記可動フレームを傾斜角度調節自在に保持する保持部が設けられていることを特徴とするヘアカット用補助具。
【請求項６】
請求項３から５のいずれかに記載のヘアカット用補助具において、
前記サイドフレームには、前記可動フレームを保持するスライド自在な保持具と、前記保持具の位置を示すための目盛りが設けられていることを特徴とするヘアカット用補助具。
【請求項７】
請求項３から６のいずれかに記載のヘアカット用補助具を用いたヘアカット方法であって、
前記可動フレームの装着する位置を変化させて、前記フレーム本体と可動フレームによって分割されるブロックの位置や形状などを調整しながら、ブロック毎に頭皮に生えている毛髪を前記ヘアカット用補助具の外側に引出してカットすることを特徴とするヘアカット方法。
【請求項８】
請求項５に記載のヘアカット用補助具を用いたヘアカット方法であって、
前記可動フレームを前記延長フレームに装着させ、前後方向の傾斜角度を調整し、前記可動フレームに沿って毛髪の先端部をカットすることを特徴とするヘアカット方法。
【請求項９】
請求項７に記載のヘアカット用補助具を用いたヘアカット方法であって、
前記取出された毛髪を１つ又は複数の毛束にまとめ、前記毛束を各ブロックの頭皮に対して略垂直となる姿勢に伸張し、所定の長さ位置において前記頭皮と略平行にカットすることを特徴とするヘアカット方法。
【請求項１０】
請求項６に記載のヘアカット用補助具を用いたヘアスタイルのデータ化方法であって、
前記ヘアカット用補助具を頭部に装着させ、前記可動フレームの装着位置を変化させながら各装着位置における前記可動フレームの上下方向の高さ位置及び前後方向の傾斜角度を前記保持具が位置する目盛りによって数値化し、
前記可動フレームの各装着位置において分割されるブロックにそれぞれ番号又は記号を付し、各ブロックに生えている毛髪を前記ヘアカット用補助具の外側に引出し、前記毛髪を頭皮に対して略垂直に保持させた状態における前記頭皮からの毛髪の先端までの距離によって各ブロックの毛髪の長さを数値化することを特徴とするヘアスタイルのデータ化方法。
【発明の詳細な説明】
【技術分野】
【０００１】
本発明は、ヘアカットのときにカット対象者の頭部に装着させるヘアカット用補助具と、これを用いたヘアカット方法及びヘアスタイルのデータ化方法に関するものである。
【背景技術】
【０００２】
ヘアカットは、カット対象者の毛髪の生え方や流れ、毛髪の量、髪質、骨格などを考慮した上で、それぞれのカット対象者に適したカット方法によって目標のスタイルへと仕上げていくものであり、最終的なヘアスタイルが同じであっても、ヘアカット方法やカットする位置や毛髪の量などはカット対象者によってそれぞれ異なるものである。そもそもヘアスタイルは、複数の毛束の重なりからなっており、ヘアスタイルを創り上げるうえで最も重要になってくるのが、頭皮を覆っている毛束によって形成されるアウトラインであり、この部分の毛束の長さや量によってヘアスタイル全体の印象が決まってくる。
【０００３】
理美容学校などで各ヘアスタイルの基本的なカット方法を学習しても、雑誌の切抜きやヘアカタログなどに掲載された通りに仕上げるために、カット対象者の頭部をどのように分割し、どの位置の毛髪を、どの程度の量、どの程度の長さにカットすればよいかを見極めて、イメージした通りに毛髪をカットして目標のヘアスタイルに仕上げることは容易なことではない。
実際、カット対象者が希望するヘアスタイルに仕上げることができるだけのヘアカット技術を習得するには、多数のヘアカット経験と自己修練の積み重ねが必要であり、美容院や理髪店などにおいてヘアカットを任されるまでには、理美容学校を卒業してから数年の歳月を要するのが通例である。
【０００４】
このように、ヘアカット技術の習得に時間がかかる原因の一つとして、ヘアカット方法は各美容師の感性や感覚による職人技であって、各個人が経験を重ねる中で自ら体得していくものであり、マニュアル化して簡単に他人に教授することができるものではないという認識がある。確かに、他に例のない斬新で独創性の高いヘアスタイルを完成する技術は職人技と称するに相応しいものであるが、既に、ごく一般化されたヘアスタイルのカット方法をマニュアル化することは難しいことではない。
実際、理美容学校などにおいては、人の頭部モデルや頭部図面の毛髪の生えた頭皮部分を直線や曲線によって複数のブロックに分割することによって、目標のヘアスタイルにするために、毛髪をどのように分割して、毛束をどの程度の量、どの程度の長さにカットすればよいかマニュアル化して生徒に教授している。また、初級者の自己修練用の教習用具として、上記頭部モデルにブロック毎に色の異なる毛髪を装着させて実際にカット練習を行うこともある。
【特許文献１】特開２００３−３０２８９５号公報
【特許文献２】特開２００３−１６４３３０号公報
【発明の開示】
【発明が解決しようとする課題】
【０００５】
しかしながら、上記頭部モデルや頭部図面はヘアカット方法を説明するための教習用具や、ヘアカット技術を磨くための自己修練用の練習用具であり、実際にカット対象者のヘアカットのときには頭部モデルをイメージしながら、手先で毛髪をブロックに分割しながらカットしなければならない。このとき、ヘアクリップなどで毛髪をブロック単位の毛束に分割して毛束毎にカットする方法も用いられているが、髪質や量によっては前記ヘアクリップによる分割が困難であったり、この方法によれば、下側の毛髪（首側）から上側（頭頂部）に向かって順にカットしていくことになるため、ヘアカット中にヘアスタイル全体を把握することが難しく、イメージ通りにヘアスタイルを創り上げにくいという問題がある。
上記教習用具及び練習用具により、ヘアカット技術の習得に要する時間を短縮することはできるかもしれないが、上級者と同じようにヘアスタイルを創り上げることができるようになるまでには、数々の経験と自己修練の積み重ねが必要であることには変わりない。
【０００６】
本発明は、上記事情を鑑みてなされたものであり、ヘアカット技術の入門者や初級者にも容易に上級者と同じヘアスタイルを創り上げることができるようにすることを第１の課題とする。
また、ヘアスタイルを数値データ化することにより、雑誌やヘアカタログなどに掲載されたヘアスタイルの数値データを元にして誰にでも簡単に目標のヘアスタイルを創り上げることができるようにすることを第２の課題とする。
【課題を解決するための手段】
【０００７】
（１）請求項１に係る発明のヘアカット方法は、『頭部を、天辺の中心極点から放射状に伸ばした５本の縦ラインにより面割して前頭部ブロック、左右の側頭部ブロックおよび左右に略２等分した左右の後頭部ブロックに分割すると共に、左右の側頭部ブロックおよび左右の後頭部ブロックを横ラインによりさらに面割して上下に略２等分に分割し、計９箇所の面割ブロックを形成し、
上記各面割ブロックの毛髪の根元付近を固定して複数の毛束とし、
上記各面割ブロックの毛束を所定長さ位置でその面割ブロックにおける上下方向の頭皮ラインに略平行に沿ってカットする』ことを特徴とするものである。
これにより、頭部を上記９箇所に分割した面割ブロック単位でヘアカットを行うので、カットする毛髪の位置が簡単に把握できる。また、カットする毛束の根元付近を固定することで、毛束を予定のカットライン通りに容易にカットすることができる。しかも、面割ブロック毎に毛束を上下方向の頭皮ラインに略平行に沿ってカットするので、毛束が頭部に沿ってきれいに重なり合ってまとまり感のあるヘアスタイルに仕上げることができる。
【０００８】
（２）請求項２に係る発明のヘアカット方法は、請求項１のヘアカット方法において、『毛髪の裾の生え際に沿った生え際ゾーンを上記各面割ブロックとは別に区分けし、
上記生え際ゾーンの毛髪の根元付近を固定して複数の毛束とし、
上記生え際ゾーンの毛束を所定長さ位置で所望のヘアスタイルイメージに応じたスタイリングカットラインに沿ってカットする』ことを特徴とするものである。
すなわち、上記生え際ゾーンの毛髪の毛先ラインが毛髪全体のアウトラインを構成することとなる。従って、この生え際ゾーンの毛髪のカットライン（スタイリングカットライン）によってヘアスタイルのイメージを決めることができる。このことから、上記生え際ゾーンにおける毛束を所望のヘアスタイルイメージに応じたスタイリングカットラインに沿ってカットすることで、イメージ通りのヘアスタイルに簡単に仕上げることができる。また、カットする毛束の根元付近を固定することで、この生え際ゾーンの毛束を予定のカットライン通りに容易にカットすることができる。
【０００９】
（３）請求項３に係る発明のヘアカット用補助具は、『ヘアカットのときにカット対象者の頭部に装着させるヘアカット用補助具であって、
前記頭部の側頭部の前方から後頭部にかけて毛髪の生え際に沿うように形成される左右一対のサイドフレームと、前記一対のサイドフレームの前端部相互を伸縮自在に連結するフロントフレームと、前記サイドフレームの後端部から前記後頭部を左右に二等分するように頭頂部近傍まで延設されるバックフレームとからなるフレーム本体と、
前記頭部を左右から挟持する態様で前記フレーム本体に装着されるＵ字状の可動フレームとから構成されており、
前記サイドフレーム及びフロントフレームは、前記フレーム本体を前記頭部に装着させたときに、前記生え際よりも頭頂部側に位置するように設定されており、
前記可動フレームは、上下方向の高さ位置及び前後方向の傾斜角度を自由に調節し得るように前記フレーム本体に装着される』ことを特徴とするものである。
前記サイドフレームとフロントフレームは、生え際から１〜４ｃｍ程度頭頂部側に位置するように設定されるものであり、好ましくは生え際から２〜３ｃｍ程度とするのが最も適している。
【００１０】
これによれば、ヘアカットのときにカット対象者の頭部に本発明のヘアカット用補助具を装着させることにより、各フレームにより頭部の毛髪が物理的に複数のブロックに分割されるから、ヘアクリップなどで毛髪を分割する手間をかけることなく、容易にブロック単位でヘアカットを行うことができる。また、可動フレームを装着させる高さ位置や傾斜角度を変化させることにより、各ブロックの位置や大きさを自由に変更させてカットする毛髪の位置や量などを調整することができるから、シャギーカットのような微妙なアウトラインにも対応することができる。
また、前記サイドフレームが生え際より頭頂部側に位置することより、生え際付近の毛髪を短く切り過ぎることが防止されるから、生え際の毛髪が頭皮と略垂直に立ち上がってヘアスタイルのまとまり感が損なわれることがない。
【００１１】
（４）請求項４に係る発明のヘアカット用補助具は、『前記サイドフレームは、前記側頭部の前方から耳部までの生え際に沿う前方部と、前記耳部の生え際の上昇に合わせて山型に形成される中間部と、前記耳部から後頭部までの生え際に沿う後方部とからなり、
前記前方部には、前端部から下方に前記可動フレームを支持するための支持部が延設されており、
前記中間部は、前記耳部の生え際の形状よりも大きく前記頭頂部側に突出する山型に形成されている』ことを特徴とする。
これによれば、前記支持部により前記可動フレームのフレーム本体への装着可能な範囲が広がるから、頭部をより様々な態様にブロック分けすることができると共に、前記可動フレームの装着状態が安定する。
また、耳部に位置する前記中間部が、他の部分よりも生え際より頭頂部側に位置していることにより、耳部に毛先がかかって左右前後に跳ねやすい前記耳部上方の毛髪の切り過ぎを防止できるから、前記耳部上方の毛髪が跳ねたり、アウトラインが乱れたりすることがなく、自然にまとまり感のあるヘアスタイルに仕上げることができる。
【００１２】
（５）請求項５に係る発明のヘアカット用補助具は、『前記バックフレームには、前記サイドフレームから首部に沿って形成される延長フレームが伸縮自在に取付けられており、
前記延長フレームには、前記可動フレームを傾斜角度調節自在に保持する保持部が設けられている』ことを特徴とする。
これによれば、前記延長フレームに取付けた前記可動フレームに沿って毛先をカットすることにより、容易に左右の毛髪を同じ長さに切り揃えることができる。
また、前記可動フレームの前後方向の傾斜角度を調節し、前記可動フレームに沿って毛先をカットすることにより、所定の角度に傾斜したボブカットの毛先のラインを容易に創り上げることができる。
【００１３】
（６）請求項６に係る発明のヘアカット用補助具は、『前記サイドフレームには、前記可動フレームを保持するスライド自在な保持具と、前記保持具の位置を示すための目盛りが設けられている』ことを特徴とする。
これによれば、前記保持具により前記可動フレームがしっかりと保持されるから、前記可動フレームを自身の弾性によって前記フレーム本体に外嵌させる構成のもののように、ヘアカット中に前記可動フレームにハサミや指先が当たることで前記可動フレームの装着位置がズレることを防止することができる。
また、前記可動フレームの装着位置が、前記サイドフレームに設けられた目盛りと保持具のスライド位置との関係により数値化できるから、前記可動フレームの装着位置を明確に表現することができる。このように前記可動フレームの装着位置を数値データ化すことによって、前記数値データを元に同じヘアスタイルを容易に再現することができる。また、ヘアスタイルの数値データ化することにより、ヘアカット方法を曖昧な表現を用いることなく明確に他人に教授することができる。
【００１４】
（７）請求項７に係る発明のヘアカット方法は、『前記可動フレームの装着する位置を変化させて、前記フレーム本体と可動フレームによって分割されるブロックの位置や形状などを調整しながら、ブロック毎に頭皮に生えている毛髪を前記ヘアカット用補助具の外側に引出してカットする』ことを特徴とする。
これによれば、前記ヘアカット用補助具によって分割されたブロックから毛髪を前記ヘアカット用補助具の外側に引出すことにより、前記ヘアカット用補助具の各フレームによって毛髪がブロック分けされ、毛髪を指先やヘアクリップで分割状態に保持する必要がないから、ヘアカット中にカット道具や櫛などを把持した状態で毛髪を保持する必要がない。
【００１５】
また、カット対象となっている一つのブロックのみの毛髪を引出してカットする場合には、カット対象のブロック以外の毛髪は前記ヘアカット用補助具の内側において頭皮に密着した状態に維持される。そのため、カット対象以外のブロックの毛髪を間違ってカットしてしまうことが防止される。
また、毛髪を頭頂部側から首部側に順番にカットすることができるから、ヘアカット中にヘアスタイルの仕上がり具合を確認できるから、イメージ通りのヘアスタイルに仕上げることができる。
【００１６】
（８）請求項８に係る発明のヘアカット方法は、『前記可動フレームを前記延長フレームに装着させ、前後方向の傾斜角度を調整し、前記可動フレームに沿って毛髪の先端部をカットする』ことを特徴とする。
これによれば、前記可動フレームに沿ってカットすることにより、容易に左右の毛髪の長さを揃えることができる。また、傾斜した毛先のラインが特徴的なボブカットを容易に且つ美しく創り上げることができる。
【００１７】
（９）請求項９に係る発明のヘアカット方法は、『前記取出された毛髪を１つ又は複数の毛束にまとめ、前記毛束を各ブロックの頭皮に対して略垂直となる姿勢に伸張し、所定の長さ位置において前記頭皮と略平行にカットする』ことを特徴とする。
これによれば、取出した毛束を前記頭皮に対して略垂直に伸張してカットすることにより、各毛束を同じの長さにカットすることができるから、毛束が頭部に沿ってきれいに重なり合うまとまり感のあるヘアスタイルに仕上げることができる。
【００１８】
（１０）請求項１０に係る発明のヘアスタイルのデータ化方法は、『前記ヘアカット用補助具を頭部に装着させ、前記可動フレームの装着位置を変化させながら各装着位置における前記可動フレームの上下方向の高さ位置及び前後方向の傾斜角度を前記保持具が位置する目盛りによって数値化し、
前記可動フレームの各装着位置において分割されるブロックにそれぞれ番号又は記号を付し、各ブロックに生えている毛髪を前記ヘアカット用補助具の外側に引出し、前記毛髪を頭皮に対して略垂直に保持させた状態における前記頭皮からの毛髪の先端までの距離によって各ブロックの毛髪の長さを数値化する』ことを特徴とする。
これによれば、従来、曖昧な表現で説明されていたヘアスタイルを数値データにより明確に表現することできる。これにより、ヘアスタイルの数値データとヘアカット用補助具とを用いることにより、目標のヘアスタイルを誰にでも容易に再現することができる。また、ヘアスタイルのカット方法を容易に他人に教授することができる。
【発明の効果】
【００１９】
以上のように、請求項１に係る発明のヘアカット方法によれば、美容師の入門者や初級者あるいは素人等のように熟練した美容師でなくても、簡単にまとまり感のあるヘアスタイルに仕上げることができる。
請求項２に係る発明のヘアカット方法によれば、美容師の入門者や初級者あるいは素人等のように熟練した美容師でなくても、ボブやレイヤー等の所望のヘアスタイルを容易に創り上げることができる。
【００２０】
請求項３に係る発明によれば、本発明のヘアカット用補助具をカット対象者の頭部に装着させることにより、頭部の毛髪を物理的に複数のブロックに分割させてブロック単位で毛髪をカットすることができると共に、前記可動フレームの装着位置を変化させ、目標のヘアスタイルに合わせて各ブロックを調整することができるから、ヘアスタイルに合わせて適切に頭部の毛髪をブロックに分割したり、前記ブロックを調整する技術を有しない入門者や初級者であっても、容易に目標のヘアスタイルに仕上げることができる。
【００２１】
前記サイドフレームを生え際より頭頂部側に位置させることにより、生え際のラインを見極めることができない入門者や初級者が誤って生え際の毛髪を切り過ぎることが防止されるから、生え際のラインに特に注意を払わなくても、自然にまとまり感のあるヘアスタイルに仕上げることができる。
これより、ヘアカット用補助具を用いることで、ヘアカット技術の入門者や初級者も、上級者と同じように美しいヘアスタイルを容易に創り上げることができる。
また、前記フレーム本体は、ヘアカット開始時に装着させると終了時まで取り外す必要がなく、ヘアカット中は前記カット対象者の頭皮に直に接触しない前記可動フレームの装着位置を変化させるだけであるから、カット対象者に負担を与えたり、不快な思いをさせることなくヘアカットを行うことができる。
【００２２】
請求項４に係る発明によれば、サイドフレームの前方部に支持部を延設したことにより、頭部をより様々な態様にブロック分けできるから、より多くのヘアスタイルを創り上げることができる。また、可動フレームの装着状態が安定するからヘアカット中に装着位置がズレにくい。
サイドフレームの中間部を大きく前記頭頂部側に突出する形状にしたことにより、ヘアカット経験や技術の少ない入門者や初級者がカットする場合にも、耳部上方の毛髪が跳ねたり、アウトラインが乱れたりすることがなく、自然にまとまり感のある美しいヘアスタイルに仕上げることができる。
【００２３】
請求項５に係る発明によれば、バックフレームに伸縮自在な延長フレームを取付けたことにより、可動フレームに沿ってカットするだけで容易に左右の毛髪を同じ長さに揃えることができるから、目測によって長さを合わせる場合よりも簡単であり且つ確実である。
また、前記可動フレームの傾斜角度を調節してカットするだけで、所定の角度に傾斜したボブカットの毛先のラインを容易に創り上げることができるから、入門者や初級者にもどのような傾斜を有するボブカットでも自在に創り出すことができる。
【００２４】
請求項６に係る発明によれば、サイドフレームにスライド自在な保持具と目盛りを設けたことにより、ヘアカット中に可動フレームの装着位置がズレることを防止できるから、安定してヘアカットを行うことができる。
前記可動フレームの装着位置を保持具と目盛りによって数値化できることにより、数値データを元にしてヘアスタイルを容易に再現できるから、ヘアカット技術の入門者や初級者だけでなく、素人にもヘアスタイルを創り上げることが可能である。また、ヘアスタイルの数値データによってヘアカット方法を明確に表現できるから、頭部モデルやカットモデルを用いて実際にカットしながら教授しなくても、テキストや写真などによって容易に且つ確実にヘアスタイルのカット方法を教授することができる。
【００２５】
請求項７に係る発明によれば、請求項３〜６のいずれかに記載のヘアカット用補助具を用いることにより、上述の請求項３〜６で説明したように、ヘアカット技術が未熟な入門者や初級者にも容易に目標のヘアスタイルを創り上げることができる。
ヘアカット中にカット道具や櫛などを把持した状態で毛髪を保持する必要がないため、指先に複数の道具や毛髪を把持することに慣れていない入門者や初級者にも容易にブロック単位のカットを行うことができる。
【００２６】
また、１ブロックずつ毛髪を引出してカットすることにより、カット対象以外のブロックの毛髪を間違ってカットすることが防止されるから、ハサミや剃刀の取扱いに慣れていない入門者や初級者にも失敗なくヘアカットを行うことができる。
毛髪を頭頂部側から首部側に順番にカットすることにより、ヘアスタイルがイメージ通りに仕上がっているかどうかを確認しながら毛髪をカットできるから、経験の少ない入門者や初級者が仕上がりに不安を感じることなくヘアカットを行うことができる。
【００２７】
請求項８に係る発明によれば、延長フレームに装着させた可動フレームに沿って毛髪の先端部をカットすることにより、左右の毛髪の長さの目測によって見極める技術を有しない入門者や初級者であっても、容易に左右の毛髪の長さを揃えることができる。また、同様にして、毛先のラインの傾斜が最大ポイントであり且つ高度な技術を要するボブカットも容易に且つ美しく創り上げることができる。
【００２８】
請求項９に係る発明によれば、毛束を頭皮に対して略垂直に伸張して前記頭皮と略平行にカットすることにより、各毛束が同じの長さに均一にカットされ、まとまり感のあるヘアスタイルに仕上げることができるから、毛束の重なり具合を見極めながらカット量や長さを調節できる技術を有しない入門者や初級者であっても、上級者と同じように美しいヘアスタイルを創り上げることができる。
【００２９】
請求項１０に係る発明によれば、ヘアカット用補助具によってヘアスタイルを数値データ化することにより、ヘアスタイルの数値データとヘアカット用補助具とを用いて誰にでも容易に目標のヘアスタイルを再現できるから、雑誌やヘアカタログにヘアスタイルと共にその数値データを掲載することにより、ヘアカット技術を有するものだけでなく素人にも容易に目標のヘアスタイルを創り上げることができる。また、同様にして、ヘアスタイルのカット方法の他人への教授も容易である。
【発明を実施するための最良の形態】
【００３０】
＜ヘアカット方法の基本＞
最初に、本発明によるヘアカット方法の基本を、図１〜図４に基づいて説明する。
まず、図１（ａ）〜（ｃ）に示すように、頭部Ｈにおける毛髪の裾の生え際に沿った生え際ゾーンＡ１０よりも上の部分を、９箇所の面割ブロックＡ１〜Ａ９に分割する。すなわち、頭部Ｈを、天辺の中心極点Ｐから放射状に伸ばした５本の縦ラインＬ（１）〜Ｌ（５）により面割して前頭部ブロックＡ１、左右の側頭部ブロック（Ａ２及びＡ６、Ａ３及びＡ７）および左右に略２等分した左右の後頭部ブロック（Ａ４及びＡ８、Ａ５及びＡ９）に分割すると共に、そのうち、左右の側頭部ブロック（Ａ２及びＡ６、Ａ３及びＡ７）および左右の後頭部ブロック（Ａ４及びＡ８、Ａ５及びＡ９）を横ラインＬ（６）によりさらに面割して上下に略２等分に分割し、計９箇所の面割ブロックＡ１〜Ａ９を形成する。このようにして、頭部Ｈを、前頭部ブロックＡ１、左上側頭部ブロックＡ２、右上側頭部ブロックＡ３、左上後頭部ブロックＡ４、右上後頭部ブロックＡ５、左下側頭部ブロックＡ６、右下側頭部ブロックＡ７、左下後頭部ブロックＡ８および右下後頭部ブロックＡ９の面割ブロックと、生え際ゾーンＡ１０との１０箇所に分割する。
【００３１】
次に、図２（ａ）（ｂ）に示すように、上記９箇所の各面割ブロックＡ１〜Ａ９においては、毛髪の根元付近をクリップＹ１で左右から挟んで固定して縦長に偏平させた毛束ＨＲを形成する。さらに、各毛束ＨＲには、そのカットラインＣＬ近傍の内側にクリップＹ２を留めて固定する。ここで、上記カットラインＣＬは、毛束ＨＲの所定長さ位置においてその毛束ＨＲの面割ブロックＡ１〜Ａ９における上下方向の頭皮ラインＨＬと略平行なラインである。
また、図３（ａ）（ｂ）に示すように、上記生え際ゾーンＡ１０においては、その毛髪を幾つかの束に分けて、それぞれの根元付近をクリップＹ１で上下から挟んで固定して、横長に偏平させた毛束ＨＲ（Ｆ），ＨＲ（Ｓ）を複数形成する。例えば、前頭部、側頭部、後頭部の各部分毎に１又は複数のクリップを留めて複数の毛束とする。なお、図３に示すものでは、前頭部の３箇所、側頭部の２箇所、後頭部の１箇所の部分毎にクリップを留めて複数の毛束ＨＲ（Ｆ），ＨＲ（Ｓ）を形成している。さらに、これらの各毛束ＨＲ（Ｆ），ＨＲ（Ｓ）にも、所定長さ位置での所望のスタイリングカットラインＳＣＬ近傍の内側にクリップＹ２を留めて固定する。このスタイリングカットラインＳＣＬとは、所望のヘアスタイルイメージに合致した毛髪のアウトラインである。
【００３２】
次に、上記９箇所の各面割ブロックＡ１〜Ａ９においては、各毛束ＨＲを所定長さ位置でその面割ブロックＡ１〜Ａ９における上下方向の頭皮ラインＨＬに略平行に沿ってカットする。一方、上記生え際ゾーンＡ１０においては、各毛束ＨＲ（Ｆ），ＨＲ（Ｓ）を所定長さ位置で所望のヘアスタイルイメージに応じたスタイリングカットラインＳＣＬに沿ってカットする。このとき、毛束をカットする道具としては、一般的な散髪用ハサミを使用してもよいし、実用新案登録第３０９８１３４号の「ヘアカッター」を使用してもよいし、また、カミソリやバリカン等を使用してもよく、その他毛髪をカット可能な種々の道具を使用してもよい。
このようにして、面割ブロックＡ１〜Ａ９と生え際ゾーンＡ１０のすべての毛束ＨＲ，ＨＲ（Ｆ），ＨＲ（Ｓ）をカットすれば、毛髪のカットが完了する。
【００３３】
以上のように、上記ヘアカット方法によれば、頭部Ｈを上記９箇所の面割ブロックＡ１〜Ａ９に分割し、各面割ブロックＡ１〜Ａ９単位でヘアカットを行うので、カットする毛髪の位置が簡単に把握できる。また、カットする毛束ＨＲの根元付近をクリップＹ１で固定することで、各面割ブロックＡ１〜Ａ９の毛束ＨＲを予定のカットラインＣＬ通りに容易にカットすることができる。しかも、面割ブロックＡ１〜Ａ９毎に毛束ＨＲを上下方向の頭皮ラインＨＬに略平行に沿ってカットするので、毛束ＨＲが頭部Ｈに沿ってきれいに重なり合ってまとまり感のあるヘアスタイルに仕上げることができる。また、各毛束ＨＲの毛先側には、カットラインＣＬ近傍の内側にクリップＹ２を留めているので、このクリップＹ２により、カットラインＣＬが明確になり、しかもカットする際に毛束ＨＲの毛髪がバラけることなく保持させることができから、円滑にカットすることができる。従って、美容師の入門者や初級者あるいは素人等のように熟練した美容師でなくても、簡単にまとまり感のあるヘアスタイルに仕上げることができる。
【００３４】
一方、生え際に沿った毛髪の毛先ラインが毛髪全体のアウトラインを構成するので、この生え際の毛髪のアウトラインがヘアスタイルイメージを決定することとなる。従って、毛髪の裾の生え際に沿った生え際ゾーンＡ１０の毛髪におけるカットライン（スタイリングカットラインＳＣＬ）によってヘアスタイルを決めることができる。このことから、上記生え際ゾーンＡ１０における毛束を所望のヘアスタイルイメージに応じたスタイリングカットラインＳＣＬに沿ってカットすることで、イメージ通りのヘアスタイルに簡単に仕上げることができる。また、この生え際ゾーンＡ１０においてカットする毛束ＨＲ（Ｆ），ＨＲ（Ｓ）の根元付近をクリップＹ１で固定することで、生え際ゾーンＡ１０の毛髪を予定通りのスタイリングカットラインＳＣＬに容易にカットすることができる。また、各毛束ＨＲ（Ｆ），ＨＲ（Ｓ）の毛先側には、スタイリングカットラインＳＣＬ近傍の内側にクリップＹ２を留めているので、このクリップＹ２により、スタイリングカットラインＳＣＬが明確になり、しかもカットする際に毛束ＨＲ（Ｆ），ＨＲ（Ｓ）の毛髪がバラけることなく保持させることができから、円滑にカットすることができる。従って、美容師の入門者や初級者あるいは素人等のように熟練した美容師でなくても、ボブやレイヤー等の所望のヘアスタイルを容易に創り上げることができる。
【００３５】
なお、上記９箇所の各面割ブロックＡ１〜Ａ９において毛束ＨＲをとる際、図４（ａ）〜（ｃ）に示すように、面割ブロックＡ１〜Ａ９内を図示の点線の如く複数に分けて、１つの面割ブロックにおいて毛束を複数形成するようにしてもよい。この場合、１つの毛束の毛髪量が少なくなるので、カットを楽に行うことができ、カットラインＣＬに沿って失敗なくカットし易くなり、また、カミソリなどでも予定通りのカットラインＣＬに容易にカットすることができる。
また、上記生え際ゾーンＡ１０において毛束ＨＲをとる際、図４（ｃ）に示す複数の三角ベースＡ１０’毎に、毛髪の根元付近をクリップで左右から挟んで固定して、縦方向に向けた毛束を複数形成するようにしてもよい。この場合も、１つの毛束の毛髪量が少なくなるので、カットを楽に行うことができ、スタイリングカットラインＳＣＬに沿って失敗なくカットし易くなる。
以下、本発明におけるヘアカット用補助具、このヘアカット用補助具を用いたヘアカット方法、このヘアカット用補助具を用いたヘアスタイルのデータ化方法について、説明する。
【００３６】
以下に、本発明実施の形態について添付図面を参照しながら説明する。
＜ヘアカット用補助具＞
本発明実施の形態の一例であるヘアカット用補助具１のフレーム本体１０を図５に、可動フレーム５を図８に示している。
このものは、図５及び図６に示されるように、カット対象者の頭部Ｈの側頭部の前方から後頭部の生え際Ｌに沿って形成される左右一対の略Ｍ字状のサイドフレーム２と、前記サイドフレーム２の前端部相互を伸縮自在に連結するフロントフレーム４と、前記後頭部を左右に二等分するように前記サイドフレーム２の後端部から頭頂部近傍まで延設される帯状のバックフレーム３とからなるフレーム本体１０と、前記頭部Ｈを左右から挟持する態様で前記フレーム本体１０の前方又は後方から装着されるＵ字状の可動フレーム５とから構成されている。前記フレーム本体１０及び可動フレーム５は、いずれも弾性を有する金属製の線材及び板材から形成されている。
【００３７】
前記サイドフレーム２は、前記側頭部の前方から耳部までの生え際Ｌに沿って後下がりに傾斜する前方部２１と、緩やかに上昇する耳部の生え際Ｌよりも大きく頭頂部側に鋭角的に突出する山型に形成された中間部２２と、前記耳部から後頭部までの生え際Ｌに沿って後下がりに傾斜する後方部２３と、前記前方部２１の前端から下方向に延設された直線状の支持部２０とから構成されている。この例のものは、前記一対のサイドフレーム２は後端部において連続する一本の線材から形成されている。また、前記前方部２１と後方部２３は、ヘアカット用補助具１の装着時に毛髪の生え際Ｌから２〜３ｃｍほど頭頂部側に位置するように設定されている。
【００３８】
前記中間部２２の前側と前記支持部２０には、図５及び図６に示されるように、所定の間隔で目盛り２４が設けられていると共に、前記可動フレーム５を下方から保持するＵ字状の鉤部６０を備えた保持具６，６１がスライド自在に取付けられている。前記保持具６，６１は、前記保持具６，６１とサイドフレーム２との間に生じる摩擦によって停止状態に維持されており、前記可動フレーム５を保持させても前記保持具６，６１は停止状態に維持される。また、ここでは図示しないが、前記支持部２０及び中間部２２は、数目盛り毎に異なる地色を有するように着色されている。
【００３９】
前記フロントフレーム４は、図５に示されるように、左側サイドフレーム２の前端部に連結される外筒部４０と、右側サイドフレームの前端部に連結されると共に前記外筒部４０に挿入自在な挿入部４１と、前記外筒部４０に設けられるネジ式の固定具４２とから構成されている。前記フロントフレーム４は、カット対象者の頭部Ｈに前記保フレーム本体１０を装着させるときに、前記固定具４２を緩めて前記外筒部４０から前記挿入部４１を最大限に引出して前記サイドフレーム２相互の距離を最大にする。そして、前記サイドフレーム２が左右に開いたフレーム本体１０を前記頭部Ｈに装着させて、前記外筒部４０内に挿入部４１を徐々に挿入していき、前記左右のサイドフレーム２が共に前記頭部Ｈの側頭部に接触する位置で前記固定具４２のネジを締めることで、前記フロントフレーム４の長さを固定する。
【００４０】
前記バックフレーム３は、後頭部を左右に二等分するように前記サイドフレーム２の後端部から頭頂部まで前記頭部Ｈの形状に沿って円弧状に湾曲されている。また、前記バックフレーム３の下方には、首部Ｎに沿って形成された帯状の延長フレーム３０をバックフレーム３に沿って伸縮自在に保持するスライド部材３１が取付けらており、前記延長フレーム３０の背面には、前記可動フレーム５を傾斜角度調節自在に保持する複数の略Ｕ字状の保持部６２が前記延長フレーム３０の伸縮方向に沿って所定の間隔を空けて設けられている。
【００４１】
前記可動フレーム５は、図８に示されるように、Ｕ字状に湾曲された金属製の線材であり、外力などによって容易に弾性変形されて自由端部相互の距離が変化されるようになっている。前記可動フレーム５は、創り上げるヘアスタイルに合わせて高さ位置や傾斜角度を変えて前記フレーム本体１０に装着させるものであり、この例のものでは、前記可動フレーム５の装着位置は、前記サイドフレーム２にスライド自在に取付けられた４つの補助具６，６１のスライド位置を調節することにより決定されている。
前記可動フレーム５を前記フレーム本体１０に装着させることにより、図９〜図１３に例示されるように、頭部Ｈを覆っている毛髪は物理的に複数のブロックに分割される。
【００４２】
＜上記ヘアカット用補助具を用いたヘアカット方法＞
次に、上記ヘアカット用補助具を用いて実際にヘアカットを行う方法について説明する。
前述した方法により櫛でよく梳かしたカット対象者の頭部Ｈに前記フレーム本体１０を装着させた後、前記可動フレーム５の装着位置を創り上げようとするヘアスタイルに合わせて変化させながら、各装着位置において形成されるブロック毎に毛髪をカットする。
以下に、セミロングのシャギーカットを創り上げる場合の前記可動フレーム５の装着位置をいくつか例示をしながら、具体的なヘアカット方法について詳述する。
フロント及びサイドの毛髪をカットする場合には、前記可動フレーム５を装着しない状態若しくは、図９(a)(b)に示されるように前記可動フレーム５がサイドフレーム２の前方部２１及び中間部２２、後方部２３と交差しないように装着させた状態で、前記フロントフレーム４と支持部２０とによって囲まれるブロックＦの範囲内に生えている毛髪を、図１０に示されるように、ヘアカット用補助具１の外側に引出し、引出した毛髪を２〜３の毛束に分割して、各毛束が前記ブロックＦの頭皮に略垂直となるように伸張させ、図１０中破線で示すように、前記頭皮と略平行にカットする。ここで、図９に示されるように、前髪のラインに合わせて装着された前記可動フレーム５に沿ってカットすることにより、後下がりのラインを描くように前髪を仕上げることができる。
また、図９(b)において、前記サイドフレーム２の前方部２１と中間部２２によって囲まれるSL，SRについても、図１１に示されるように、前記ヘアカット用補助具１の外側に毛髪を引出してカットする。
【００４３】
バックの毛髪をカットする場合には、図１２(a)に示されるように、前記可動フレーム５を略水平に装着させた状態で、前記バックフレーム３と可動フレーム５とによって囲まれるブロックBL，BRの範囲内の毛髪を引出して、図１２(c)に示されるように、前記頭皮に略平行にカットする。このとき、前記可動フレーム５に沿って毛髪を引出すことにより、自然に図１２(b)中の破線で示される前記サイドフレーム２の延長線の後側に位置する毛髪を取出すことができる。
【００４４】
前記頭部Ｈの後頭部を上下方向に分割する前記可動フレーム５のループ部が、図１４に示されるように、前記頭部Ｈの曲面に沿って回動するように前記保持具６，６１の位置を徐々に移動させながら、図１３(a)に示されるように、前記可動フレーム５の各装着位置において形成されるブロックBL'，BR'の範囲内の毛髪を引出して、図１３(c)に示されるように、前記頭皮と略平行にカットする。このとき、図１２(c)において先にカットした毛髪も合わせて前記ヘアカット用補助具１の外側に引出されるが、前段階において既に所定の長さにカットされているから、図１３(c)においてカットするときに再びカットされることはない。
【００４５】
この例のものでは、前記可動フレーム５の装着位置を４段階に変化させることにより、前記頭部Ｈを、図１４に示されるように、頭頂部から前記サイドフレーム２の後端部までを５つのブロックB1〜B5に、前記サイドフレーム２から生え際Ｌを１つのブロックB6にそれぞれ分割して、ブロック単位で毛髪をカットしている。
上記カット方法によって前記頭部Ｈを覆う毛髪のアウトラインを完成させた後は、前記ヘアカット用補助具１を取り外して、前記首部Ｎにかかる毛先部分の長さを揃えたり、毛先部分に動きを付けるなどのカットを行うことによりシャギーカットを仕上げる。
【００４６】
上記のような構成であるから、この例のヘアカット用補助具１をカット対象者の頭部Ｈに装着させることにより、毛髪を複数のブロックＦ,SL,SR,BL,BRに分割できると共に、前記サイドフレーム２に取付けられた補助具６,６１をスライドさせることにより、前記可動フレーム５の装着位置を自在に変化させて、様々なヘアスタイルに合わせて各ブロックＦ,SL,SR,BL,BRを調整することができるから、ヘアスタイルに合わせて頭部Ｈの毛髪を適切なブロックＦ,SL,SR,BL,BRに分割する技術を有しない入門者や初級者であっても、容易にヘアスタイルに仕上げることができる。
【００４７】
前記サイドフレーム２の前方部２１及び後方部２３を生え際Ｌより２〜３ｃｍ頭頂部側に位置させ、前記中間部２２を生え際Ｌよりも大きく頭頂部側に突出する山型としたことにより、生え際Ｌを見極めることができない入門者や初級者が、誤って生え際Ｌや耳部上方の毛髪を切り過ぎること防止できるから、生え際Ｌに注意を払うことなく、自然にまとまり感のあるヘアスタイルに仕上げることができる。また、頭部Ｈの毛髪を頭頂部側から首部Ｎ側に順番にカットできるから、経験の少ない入門者や初級者が仕上がりに不安を感じることなくヘアカットを行うことができる。
前記サイドフレーム２に目盛り２４と着色を施したことにより、前記可動フレーム５の装着位置を数値化できるから、この数値データを保存しておくことにより、同じヘアスタイルを容易に再現することができる。また、ヘアスタイルのカット方法の教授も容易である。
【００４８】
上記ヘアカット用補助具１を用いたヘアカット方法によれば、図９〜図１３に示されるように、複数のブロックの１つから毛髪を外側に引出してカットすることにより、前記ヘアカット用補助具１の内側に位置するカット対象以外のブロックの毛髪を間違ってカットすることがないから、ハサミや剃刀の取扱いに慣れていない入門者や初級者も失敗することなく、ヘアカットを行うことができる。また、引出した毛髪を前記頭皮と略平行にカットすることにより、各毛束が同じの長さに均一にカットされるから、毛束の重なり具合を見極めながらカット量や長さを調節できる技術を有しない入門者や初級者であっても、上級者と同じように美しいヘアスタイルを創り上げることができる。
【００４９】
以上のことから、この例のヘアカット用補助具１を用いてヘアカットを行うことにより、ヘアカット技術の入門者や初級者も、上級者と同じように美しいヘアスタイルを容易に創り上げることができる。
図１５には、この例のヘアカット用補助具１を用いてボブカットの傾斜した毛先のラインを創り上げる方法について示している。
【００５０】
ボブカットのサイドのラインをカットする場合には、前記バックフレーム３に伸縮自在に取付けられた前記延長フレーム３０の長さを調節した後に、前記ボブカットの毛先の長さに合わせて、前記可動フレーム５を前記延長フレーム３０の保持部６２に保持させる。そして、前記保持部６２を軸に前記可動フレーム５を回動させてボブカットの毛先のラインと同じ傾斜に調節し、前記可動フレーム５に沿って毛髪の先端部を斜めにカットする。
このカット方法によれば、前記可動フレーム５に沿ってカットするだけでよいから、左右の長さの目測によって見極める技術を有しない入門者や初級者であっても、左右の毛髪の長さを揃ったボブカットの毛先のラインを容易に且つ美しく創り上げることができる。
【００５１】
＜上記ヘアカット用補助具を用いたヘアスタイルのデータ化方法＞
次に、上記ヘアカット用補助具１を用いて完成されたヘアスタイルを数値データ化する方法について説明する。
完成されたヘアスタイルの頭部Ｈに前記ヘアカット用補助具１を装着させると、上述のヘアカットに用いる場合と同様に、前記フレーム本体１０と前記可動フレーム５により前記頭部Ｈの毛髪を物理的に複数のブロックに分割することができる。また、同様に、前記可動フレーム５の装着位置を変化させることにより、各ブロックを調整することができる。
【００５２】
これより、前記可動フレーム５の各装着位置を前記補助具６，６１のスライド位置の目盛りで数値化し、各装着位置において形成されるブロックにＦ，Ｓ，Ｂなどの記号を付け、前記ブロックＦ，Ｓ，Ｂの範囲内の毛髪を外側に引出し、前記頭皮に対して垂直となるように伸張した状態で前記頭皮から毛髪の先端までの距離を測定することで各ブロックの毛髪の長さを数値化することができる。
【００５３】
カット方法を示す図１２を[装着状態１]として具体的に数値データを例示すると、[装着状態１]  後，補助具６：７，補助具６１：１，ブロックBL，BR：８cmとなる。
これは、装着状態１は、前記可動フレーム５の装着位置は、前記補助具６を目盛り：７の位置に合わせ、前記補助具６１を目盛り：１の位置とした状態で前記可動フレーム５を後方から保持させるものであり、この装着位置で後頭部に形成されるブロックBL，BRから引出した毛髪を前記頭皮から８ｃｍの長さにカットしていることを表現している。
【００５４】
このようにして、この例のヘアカット用補助具を用いてヘアスタイルを数値データ化することにより、ヘアカット方法を明確に理解することができると共に、前記ヘアスタイルの数値データとヘアカット用補助具とによって、誰にでも容易にヘアスタイルを再現することができる。そのため、雑誌やヘアカタログにヘアスタイルと共にその数値データを掲載することにより、ヘアカット技術を有するものだけでなく、素人にも容易に掲載されたヘアスタイルを創り上げることができる。
また、ヘアスタイルの数値データによって頭部モデルやカットモデルを用いて実際にカットしながら教授しなくても、テキストや写真などによって容易に且つ確実にヘアスタイルのカット方法を教授することができる。
【００５５】
＜その他＞
本発明ヘアカット用補助具１及びこれを用いたヘアカット方法、並びに、ヘアスタイルのデータ化方法は、上記実施の形態に限られるものではない。
前述の例において、前記ヘアカット用補助具１のサイドフレーム２は、前記中間部２２が耳部の生え際のラインＬよりも上方に突出する鋭角的な山型に形成されているが、前記耳部の生え際のラインＬに沿って緩やかな円弧状の山型に形成されるものであってもよい。
【００５６】
前述の例において、前記可動フレーム５を保持する保持具６，６１は、前記支持部２０と中間部２２の前側のみに取付けられているが、前記前方部２１やその他の部位に取付けるものであっても、前記サイドフレーム２の各部位に所定の間隔毎に予め複数の鉤部６０が取付けられるものであってもよい。
また、前記保持具６，６１は、前記サイドフレーム２と保持具６，６１との間に生じる摩擦により前記サイドフレーム２に沿ってスライド自在に取付けられているが、前記サイドフレーム２の表面に長手方向に沿って形成される山型の係合部と、前記保持具６，６１の係合部とが移動可能に噛合う構成としてもよい。このような構成としたものでは、ヘアカット中に前記可動フレーム５に力や負荷が加わる場合にも、前記保持具６，６１が不用意に移動されて前記ブロックの位置や形状がズレることを防止できるから、安定してヘアカットを行うことができる。
【００５７】
前述の例において、前記ヘアカット用補助具１の各フレームは、いずれも金属製の線材又は板材から形成されているが、合成樹脂材から形成されるものであっても、金属と合成樹脂材との組合せによって形成するものであってもよい。また、前述の例のものでは、一本の可動フレーム５の装着位置を次々と変化させることで、頭皮を適当なブロックに分割しているが、前記フレーム本体１０に複数の可動フレーム５を同時に装着させるものであってもよい。
前述の例のヘアカット方法は、前記ヘアカット用補助具１から１ブロックずつ毛髪を外側に引出してカットを行っているが、前記ヘアカット用補助具１を装着させ、はじめに分割された全てのブロックから毛髪をそれぞれ引出した後、ブロック単位で毛髪のカットを行ってもよい。
【００５８】
前述の例において、ヘアスタイルのデータ化方法は、完成されたヘアスタイルの頭部Ｈに前記ヘアカット用補助具１を装着させることにより、前記ヘアスタイルの各部の毛髪がどのようなにカットされているかを分析し、得られた数値に基づいてデータ化を図っているが、本発明のヘアカット用補助具１を装着した状態でヘアカットを行い、ヘアカットと同時進行で必要な各数値データを取ることにより、ヘアスタイルのデータ化を図ってもよい。この方法によれば、完成されたヘアスタイルを分析してデータ化する場合よりも、より確実なヘアスタイルのデータを得ることができる。
【図面の簡単な説明】
【００５９】
【図１】本発明の実施の形態によるヘアカット方法において、毛束をつくるため頭部の面割の仕方を示す模式図である。
【図２】頭部を面割した各面割ブロックの毛髪を毛束とした状態を示す模式図である。
【図３】頭部における毛髪の生え際ゾーンの毛髪を毛束とした状態を示す模式図である。
【図４】各面割ブロックおよび生え際ゾーンにおいて毛束をとる際の領域の他の例を示す模式図である。
【００６０】
【図５】本発明実施の形態にかかるヘアカット用補助具の要部を示す斜視図である。
【図６】ヘアカット用補助具の要部の頭部への装着状態を示す側面図である。
【図７】ヘアカット用補助具の要部の頭部への装着状態を示す背面図である。
【図８】ヘアカット用補助具の可動フレームを示す斜視図である。
【図９】(ａ)可動フレームを前方から装着させた状態を示す正面図である。(ｂ) 可動フレームを前方から装着させた状態を示す側面図である。
【図１０】図９の装着状態で前髪をカットするときの状態を示す説明図である。
【図１１】図９の装着状態で側頭部の毛髪をカットするときの状態を示す説明図である。
【図１２】可動フレームを後方から頭部上方に装着させた状態を示す(ａ)側面図、(ｂ)背面図、(ｃ)後頭部の毛髪をカットするときの状態を示す説明図である。
【図１３】可動フレームを後方から頭部下方に装着させた状態を示す(ａ)側面図、(ｂ)背面図、(ｃ) 後頭部の毛髪をカットするときの状態を示す説明図である。
【図１４】本発明のヘアカット用補助具を用いてヘアカットを行った場合のブロック単位のカット状態を示す説明図である。
【図１５】可動フレームを延長フレームに装着させた状態を示す(ａ)側面図、(ｂ)背面図、(ｃ)毛髪の先端部をカットするときの状態を示す説明図である。
【符号の説明】
【００６１】
１  ヘアカット用補助具
２  サイドフレーム
３  バックフレーム
４  フロントフレーム
５  可動フレーム
６，６１  保持具
１０  フレーム本体
２０  支持部
２１  前方部
２２  中間部
２３  後方部
２４  目盛り
３０  延長フレーム
６０  鉤部    
６２  保持部
Ａ１〜Ａ９  面割ブロック
Ａ１０  生え際ゾーン
ＣＬ  カットライン
Ｆ，SL，SR，BL，BL'，BR，BR'，B1，B2，B3，B4，B5,B6   ブロック
Ｌ  生え際
Ｌ（１）〜Ｌ（５）  縦ライン
Ｌ（６）  横ライン
Ｈ  頭部
ＨＬ  頭皮ライン
ＨＲ  毛束
Ｎ  首部
Ｐ  中心極点
ＳＣＬ  スタイリングカットライン
Ｙ１，Ｙ２  クリップ
【図１】
2005312920.tif 000003
【図２】
2005312920.tif 000004
【図３】
2005312920.tif 000005
【図４】
2005312920.tif 000006
【図５】
2005312920.tif 000007
【図６】
2005312920.tif 000008
【図７】
2005312920.tif 000009
【図８】
2005312920.tif 000010
【図９】
2005312920.tif 000011
【図１０】
2005312920.tif 000012
【図１１】
2005312920.tif 000013
【図１２】
2005312920.tif 000014
【図１３】
2005312920.tif 000015
【図１４】
2005312920.tif 000016
【図１５】
2005312920.tif 000017